(57)【特許請求の範囲】
【請求項１】
被綴じ物を押圧して保持する押圧部を有する綴じ部材と、
前記綴じ部材が、被綴じ物を押圧するロック状態とロックを解除するロック解除状態とに移動するように操作するために設けられた操作部材と、
前記綴じ部材及び操作部材を設ける台部材と、
前記綴じ部材をロックされた状態に付勢する付勢部材と、
操作部材の操作により、前記綴じ部材を付勢部材によってロックするために前記操作部材に係合してロック固定され、且つ前記綴じ部材のロックを解除するために前記操作部材との係合が外れて操作部材とのロックを解除する、ロック部材とを備え、
前記ロック部材は、前記綴じ部材をロック解除状態にするために前記操作部材から脱係するように、前記台部材に揺動自在に設けられたロック解除部を有し、
前記ロック部材は、前記台部材に向けて押し下げ可能なロック解除部を台部材側に向けて押し下げて、操作部材との係合を脱係させて操作部材とのロックを解除させて、前記綴じ部材のロックを解除するように構成された、綴じ具。
【請求項２】
前記綴じ部材の前記押圧部は、一列に間隔を隔てて配置され、かつ、それぞれの先端に凹凸部が形成された複数の接地部を有し、
前記押圧部の前記複数の接地部は、被綴じ物を押圧して保持する際に、前記複数の接地部のうちの両側の２つの接地部が、前記中間の接地部に比べて、被綴じ物を強く押圧するように形成された、請求項１に記載の綴じ具。
【請求項３】
前記操作部材は、自由端側に、ロック部材を係止するための係合孔が穿設され、
前記ロック部材は、前記係合孔の孔縁に係止されて、前記綴じ部材が被綴じ物を押圧するロック状態になるように構成され、且つ、ロック解除部を台部材側に向けて押し下げて前記係合孔の孔縁から脱係させて、前記綴じ部材がロックを解除するロック解除状態になるように構成された、請求項１又は請求項２に記載の綴じ具。
【請求項４】
前記操作部材は、ロック状態とロックを解除するロック解除状態とに移動するように操作する自由端において、ロック部材をロック係止される領域が、操作部材本体及び／又は操作部より低い段差状に形成され、ロック部材のロック解除部が操作部材のロック係止部の周辺領域より低い位置に位置して自由端にロック係止されるように構成された、請求項１ないし請求項３に記載の綴じ具。
【請求項５】
前記ロック部材のロック解除部は、操作部材のロック状態において、操作部材の表面より突出する、押圧頭部により形成され、
前記ロック部材は、前記押圧頭部とは別の領域に形成された係合凸部と、台部材側に揺動自在に取り付けるための回動部とを備え、操作部材のロック状態において、台部材と操作部材の自由端との間に跨る長さを備える、請求項１ないし請求項４に記載の綴じ具。
【請求項６】
前記ロック部材は、係合凸部とは反対側において、回動部に続いて操作部材に係合凸部を係合させるときに係合凸部の突き出る方向とは反対側に撓ませるための弾力部を形成された、請求項１ないし請求項５に記載の綴じ具。
【発明の詳細な説明】
【技術分野】
【０００１】
この発明は、綴じ具に関し、特にたとえば、操作レバー等の操作部材を操作して書類等の被綴じ物を挟み込んで綴じるための綴じ具に関する。
【背景技術】
【０００２】
この発明の背景となる従来の綴じ具及びその綴じ具が適用されるファイルの一例が、例えば特許第４２３６５５４号公報に開示されている（特許文献１参照）。特許文献１に開示されている綴じ具は、ベースと、当該ベースとの間に紙葉類を押さえた状態で綴じ込み可能な押さえ部と、当該押さえ部を綴じ込み状態と非綴じ込み状態との間で操作可能な操作部と、前記綴じ込み状態において前記操作部の移動を規制するロック機構とを具備してなり、前記操作部に対する所定の操作力により前記ロック機構をロック状態と非ロック状態との間で操作可能に構成したものであって、前記操作部が、前記ベースに対して回動可能に設けられた操作部本体と、当該操作部本体の軸心と平行な軸心を中心に回動し得るように操作部本体に片持ち的に支持され、前記ロック状態を解除して前記非ロック状態に操作可能なロック解除部とを備えたものであり、前記ロック機構が、前記ロック解除部に設けた第１係合部と、前記ベースに設けられ前記ロック状態において前記第１係合部に係合し得る第２係合部とを備えてなり、前記ロック解除部を押し込む方向のみに与えられた操作力に基づいて前記ロック解除部が回動し、それに伴って前記第１係合部が回転面内から外れることなく前記第１係合部の前記第２係合部に対する相対位置が変位することにより、前記第１係合部と前記第２係合部との係合が解除され前記非ロック状態になるように構成していることを特徴とする綴じ具である。
また、この発明の背景となる従来の綴じ具の一例が、特許第４２８８８６１号に開示されている（特許文献２）。特許文献２に参考例として記載された綴じ具は、ロック手段を所定操作することで操作部材のロックを解除できるように構成されている。
このロック手段は、操作部材の自由端側に形成された第１のロック形成部としての穴と、この穴に挿入可能となる第２のロック形成部としての起立部材とを備えて構成されている。
【先行技術文献】
【特許文献】
【０００３】
【特許文献１】特許第４２３６５５４号公報
【特許文献２】特許第４２８８８６１号公報
【発明の概要】
【発明が解決しようとする課題】
【０００４】
ところが、特許文献１に開示されている綴じ具では、ベース及び押さえ部の間に押さえられた状態で綴じ込まれる紙葉類等の被綴じ物の厚さが厚いときには、ベースに設けられた第２係合部に対して、第２係合部に係合している第１係合部を設けたロック解除部に大きな力がかかるため、ロック状態を解除するために、ロック解除部を押し込む際に大きな操作力を必要とする。
また、特許文献２に開示されている参考例の綴じ具では、この起立部材を比較的柔軟な素材で形成したとき、起立部材は、固定された基部の周辺に応力が集中して、折損し易い。
【０００５】
それゆえに、この発明の主たる目的は、被綴じ物の厚さが変化してもロック状態を解除するための操作力の大きさの変化が少なく壊れにくい、綴じ具を提供することである。
【課題を解決するための手段】
【０００６】
この発明の請求項１にかかる綴じ具は、被綴じ物を押圧して保持する押圧部を有する綴じ部材と、前記綴じ部材が、被綴じ物を押圧するロック状態とロックを解除するロック解除状態とに移動するように操作するために設けられた操作部材と、前記綴じ部材及び操作部材を設ける台部材と、前記綴じ部材をロックされた状態に付勢する付勢部材と、操作部材の操作により、前記綴じ部材を付勢部材によってロックするために前記操作部材に係合してロック固定され、且つ前記綴じ部材のロックを解除するために前記操作部材との係合が外れて操作部材とのロックを解除する、ロック部材とを備え、前記ロック部材は、前記綴じ部材をロック解除状態にするために前記操作部材から脱係するように、前記台部材に揺動自在に設けられたロック解除部を有し、前記ロック部材は、前記台部材に向けて押し下げ可能なロック解除部を台部材側に向けて押し下げて、操作部材との係合を脱係させて操作部材とのロックを解除させて、前記綴じ部材のロックを解除するように構成された、綴じ具である。
この発明の請求項２にかかる綴じ具は、前記綴じ部材の前記押圧部は、一列に間隔を隔てて配置され、かつ、それぞれの先端に凹凸部が形成された複数の接地部を有し、前記押圧部の前記複数の接地部は、被綴じ物を押圧して保持する際に、前記複数の接地部のうちの両側の２つの接地部が、前記中間の接地部に比べて、被綴じ物を強く押圧するように形成された、請求項１に記載の綴じ具である。
この発明の請求項３にかかる綴じ具は、前記操作部材は、自由端側に、ロック部材を係止するための係合孔が穿設され、前記ロック部材は、前記係合孔の孔縁に係止されて、前記綴じ部材が被綴じ物を押圧するロック状態になるように構成され、且つ、ロック解除部を台部材側に向けて押し下げて前記係合孔の孔縁から脱係させて、前記綴じ部材がロックを解除するロック解除状態になるように構成された、請求項１又は請求項２に記載の綴じ具である。
この発明の請求項４にかかる綴じ具は、前記操作部材は、ロック状態とロックを解除するロック解除状態とに移動するように操作する自由端において、ロック部材をロック係止される領域が、操作部材本体及び／又は操作部より低い段差状に形成され、ロック部材のロック解除部が操作部材のロック係止部の周辺領域より低い位置に位置して自由端にロック係止されるように構成された、請求項１ないし請求項３に記載の綴じ具である。
この発明の請求項５にかかる綴じ具は、前記ロック部材のロック解除部は、操作部材のロック状態において、操作部材の表面より突出する、押圧頭部により形成され、前記ロック部材は、前記押圧頭部とは別の領域に形成された係合凸部と、台部材側に揺動自在に取り付けるための回動部とを備え、操作部材のロック状態において、台部材と操作部材の自由端との間に跨る長さを備える、請求項１ないし請求項４に記載の綴じ具である。
この発明の請求項６にかかる綴じ具は、前記ロック部材は、係合凸部とは反対側において、回動部に続いて操作部材に係合凸部を係合させるときに係合凸部の突き出る方向とは反対側に撓ませるための弾力部を形成された、請求項１ないし請求項５に記載の綴じ具である。
【発明の効果】
【０００７】
本件発明によれば、被綴じ物の厚さが変化してもロック状態を解除するための操作力の大きさの変化が少なく壊れにくい綴じ具が得られる。
特に、ロック部材は、台部材側において、移動可能に取り付けられているので、ロックするとき及びロックを解除するときに、無理な力がかかることなく壊れにくい。
請求項２の発明によれば、用箋等の被綴じ物を、回転する等して綴じられた状態を変えることなく、安定して綴じることができる。
請求項３及び請求項５の発明によれば、ロック及びロックを解除することが、大きな力を必要とすることなく行うことをできる。
請求項４の発明によれば、ロック部材が不用意に脱係することがない。
請求項６の発明によれば、操作部材をロック部材に係合し易く、且つ脱係し易い。
【０００８】
この発明の上述の目的、その他の目的、特徴および利点は、図面を参照して行う以下の発明を実施するための形態の説明から一層明らかとなろう。
この発明の説明において、ファイルの表紙に取り付けられた綴じ具における手前側は前側といい、向こう側は後側といい、手前側から向こう側に至る方向は長手方向といい、前記長手方向と交差する方向は幅方向といい、前記長手方向（前後軸）と幅方向（左右軸）と交差する上下軸の方向は上方向、下方向及び上下方向又は高さ方向といい、前記上方向、下方向及び上下方向における上は上側といい、前記上方向、下方向及び上下方向における下は下側という（図１４参照）。
【図面の簡単な説明】
【０００９】
【図１】この発明の一実施の形態である綴じ具を示す斜視図である。
【図２】この綴じ具を閉じた状態を示す斜視図である。
【図３】図１に示す綴じ具の操作部材取付け部及びばね部材の近傍を表わした平面図解図である。
【図４】図１に示す綴じ具の操作部材取付け部及びばね部材の近傍を表わした斜視図解図である。
【図５】図１に示す綴じ具のばね部材及び軸を示す平面図解図である。
【図６Ａ】綴じ具を閉じた状態を示す正面図解図である。
【図６Ｂ】綴じ具を開いた状態を示す正面図解図である。
【図７Ａ】綴じ具を閉じた状態を示す側面図解図である。
【図７Ｂ】綴じ具をさらに開いた状態を示す側面図解図である。
【図７Ｃ】綴じ具を閉じる状態を示す側面図解図である。
【図７Ｄ】綴じ具を開く状態を示す側面図解図である。
【図８】図１に示す綴じ具の分解斜視図である。
【図９Ａ】綴じ部材の正面図解図である。
【図９Ｂ】綴じ部材の横断面図解図である。
【図９Ｃ】綴じ部材の側面図解図である。
【図９Ｄ】綴じ部材の枢支部との関係を示す平面図解図である。
【図１０】図１に示す綴じ具の綴じ部材及びばね部材の作動状態を示す図解図である。
【図１１】図１に示す綴じ具で少ない書類を綴じたときの押圧部の状態を示す図解図である。
【図１２】図１に示す綴じ具で多い書類を綴じたときの押圧部の状態を示す図解図である。
【図１３】図１に示す綴じ具の変形例たる綴じ具の側面図解図である。
【図１４】図１に示す綴じ具の使用状態を示す斜視図解図である。
【図１５】綴じ具の説明図である。
【発明を実施するための形態】
【００１０】
図１は、この発明の一実施の形態である綴じ具を示す斜視図であり、図２はこの綴じ具を閉じた状態を示す斜視図であり、図３は、図１に示す綴じ具の操作部材取付け部及びばね部材の近傍を表わした平面図解図であり、図４は、図１に示す綴じ具の操作部材取付け部及びばね部材の近傍を表わした斜視図解図であり、図５は、図１に示す綴じ具のばね部綴じ具を閉じた状態を示す正面図解図であり、図６Ａは、綴じ具を閉じた状態を示す正面図解図であり、図６Ｂは、綴じ具を開いた状態を示す正面図解図であり、図７Ａは、綴じ具を閉じた状態を示す側面図解図であり、図７Ｂは、綴じ具をさらに開いた状態を示す側面図解図であり、図７Ｃは、綴じ具を閉じる状態を示す側面図解図であり、図７Ｄは、綴じ具をいっぱい開いた状態を示す側面図解図であり、図８は、図１に示す綴じ具の分解斜視図である。
綴じ具２０は、板状の台部材たる基板２２と、前記台部材上において被綴じ物Ｓを押圧して保持する押圧部を有する綴じ部材７０と、前記台部材上において、綴じ部材７０が被綴じ物Ｓを押圧するホールド状態と被綴じ物より離れるオープン状態とに移動（開閉）可能にするように、その連結部において台部材に設けられた操作部材たる操作レバー６０と、前記台部材上に装着され、前記操作レバー６０に連結されるとともに綴じ部材７０に連結され、被綴じ物Ｓを押圧する方向に綴じ部材７０を付勢する付勢部材たるばね部材５０とを含む。
【００１１】
前記綴じ部材７０は、被綴じ物Ｓを押圧するロック状態（ホールド状態）と被綴じ物より離れるロック解除状態（オープン状態）とに開閉するように回動するための枢軸部７２を備え、前記付勢部材たるばね部材５０は、その一部分（第１端部５０ｃ）が綴じ部材７０の押圧部７６に向かってのびて、綴じ部材７０を枢軸部７２を中心として被綴じ物Ｓを押圧するホールド状態と被綴じ物より離れるオープン状態とに回動するように作動させるとともに綴じ部材７０を被綴じ物Ｓを押圧するホールド状態から被綴じ物Ｓより離れるオープン状態に回動するときに前記枢軸部７２ののびる方向にスライドさせるように作動させるように、綴じ部材７０に緩挿されている。
【００１２】
綴じ具２０は、金属製薄板によって形成される台部材を構成する板状本体たる基板２２を含む。基板２２の幅方向の一端部（左端部）における直線状長手端縁に操作部材取付け部を構成する軸受部を備え、この一方の軸受部は、図８に示すように、基板２２に対して直立する起立面部を有する軸受板２４が一体的に形成されてなる。軸受板２４は、基板２２の長手方向の手前側端縁より向こう側端縁近傍に至るまで連続して形成される。
軸受板２４の長手方向の一端側（向こう側）には、操作部材取付け部を構成する円形の枢軸固定用貫通孔２６が形成されている。
枢軸固定用貫通孔２６は、軸受板２４の枢軸固定用貫通孔２６の周辺が、操作レバー６０の軸受板２４の起立面部と操作レバー６０を軸受板２４に固定する軸４６の軸方向とが斜交するように、向こう側が外に（操作レバー６０が取り付けられる面とは反対側に）突き出し、手前側が内に（操作レバー６０が取り付けられる面側に）突き出して、操作レバー６０の軸受板２４の起立面部とは傾斜して形成されている。
【００１３】
軸受板２４の長手方向の他端側（手前側）には、後述の操作レバー６０を、綴じ部材７０を被綴じ物Ｓを押圧するロック状態（ホールド状態）とするときに固定するためのロック用固定部を構成するロック部材２８が、基板２２に揺動自在に取り付けられている。ロック部材２８は、たとえばポリオキシメチレン（ＰＯＭ）等のような弾力性を有する合成樹脂で一体成形され、基板２２と操作レバー６０の自由端との間に跨る長さを備える。
ロック部材２８は、操作レバー６０の向こう側から手前側にのびる方向に拡がる垂直面（前後方向平面Ｐｘｚ，図１５図示）を中心にして、左右対称に形成されている。この垂直面（前後方向平面Ｐｘｚ）は、操作レバー６０が回動する軌道面と略々一致する。
ロック部材２８の頂部は、綴じ部材７０を被綴じ物Ｓを押圧するロック状態（ホールド状態）から被綴じ物Ｓより離れるロック解除状態（オープン状態）にするときに、操作レバー６０の係止貫通孔６６との係止を脱係して操作レバー６０を開くようにするために、基板２２に向けてロック部材２８の操作レバー６０の表面より突き出た部位を押し下げるためのロック解除部を構成している。
【００１４】
ロック部材２８のロック解除部は、操作レバー６０を押し下げて綴じ部材７０をロックした状態において、操作レバー６０の操作部６０ｃの表面より上方に向けて突出した、押圧頭部１００により形成される。
ロック部材２８は、前記押圧頭部１００とは別の領域に形成された係合凸部１０２と、基板２２にロック部材２８を揺動自在に取り付けるための回動部１０４とを備える。
ロック部材２８は、係合凸部１０２とは反対側において、回動部１０４に続いて、操作レバー６０に係合凸部１０２を係合させるときに係合凸部１０２の突き出る方向とは反対側に撓ませるための弾力部１０６を形成されている。
【００１５】
押圧頭部１００は、平面視方形の台形状である。押圧頭部１００は、回動部１０４よりロック解除側の手前側に向けてのびるように、その下部のロック係止側の向こう側の端部において、回動部１０４のロック解除側の手前側の上端部に連設されている。押圧頭部１００は、操作レバー６０から脱係されるロック解除側の面すなわち手前側が手前に至るに従って低くなるように形成されている。
係合凸部１０２は、押圧頭部１００のロック係止側であって回動部１０４のロック解除側において、押圧頭部１００のロック係止側の面に続いて形成されている。係合凸部１０２は、操作レバー６０に係止されるロック係止側の係合面すなわち向こう側が断面円弧状の滑らかな面を形成されている。
係合凸部１０２は、その下方に、操作レバー６０の係止貫通孔６６の近傍を嵌挿するための凹部１０８を備える。凹部１０８は、軸受板２４の内側より幅方向にのび、ロック係止側の向こう側からロック解除側の手前側に向けて凹む。
【００１６】
回動部１０４は、係合凸部１０２の下方において、軸受板２４の内側より幅方向にのびる板状で、左端に突設された回動軸１０４ａと右端に突設された回動軸１０４ｂとを備える。
操作レバー６０の向こう側から手前側にのびる方向に拡がる垂直面（前後方向平面Ｐｘｚ）を中心にして、左右に分けて形成された支持部１１０及び支持部１１２との間において、回動部１０４が架け渡されている。支持部１１０と支持部１１２とが対向する面は、垂直であり、その対向する面の間において、同じ高さ位置において回動部１０４が架け渡されている。
弾力部１０６は、回動部１０４の手前側端より手前側にのびる、断面くの字状の板状体である。
【００１７】
回動軸１０４ａは、軸受板２４に直交するＹ−Ｙ軸（図６Ｂ及び図１５図示）に沿って及び操作レバー６０の向こう側から手前側にのびる方向に拡がる垂直面（前後方向平面Ｐｘｚ）に直交するように架け渡されている。支持部１１０の貫通孔に回動自在に取り付けられ、回動軸１０４ｂは、支持部１１２の貫通孔に回動自在に取り付けられている。
回動部１０４を枢支する一方の支持部１１０は、軸受板２４の手前側に穿設された貫通孔に回動軸１０４ａを貫挿するように形成されている。回動部１０４を枢支する他方の支持部１１２は、基板２２の一部を切り起こされた板状体に穿設された貫通孔に回動軸１０４ｂを貫挿するように形成されている。
【００１８】
軸受板２４の枢軸固定用貫通孔２６形成部の向こう側近傍において、軸受板２４と適宜な間隔を隔てて基板２２の長手方向の一端側の角部が切り起こされ、綴じ部材７０を枢支する第１枢支部３０が形成される。第１枢支部３０の主面は、軸受板２４の主面と直交するように形成される。この第１枢支部３０には、円形の枢支貫通孔３２が形成される。
さらに、ロック部材２８の手前側近傍において、綴じ部材７０を枢支するために、第１枢支部３０の主面に平行な面を有する別の第２枢支部３４が形成される。第２枢支部３４は、基板２２にＵ字状の切り込みを形成し、この部分を切り起こすことにより形成される。この第２枢支部３４には、円形の枢支貫通孔３６が形成される。
枢支貫通孔３２と枢支貫通孔３６とは、基板２２の上面から均等な高さに形成されている。
これらの第１枢支部３０と第２枢支部３４とは、対向し、その枢支貫通孔３２と枢支貫通孔３６とを結ぶ線が、軸受板２４の基板２２側の主面に平行となるように配置され、綴じ部材７０の回転軸となる。
【００１９】
さらに、これらの第１枢支部３０と第２枢支部３４の間であって、第１枢支部３０の枢支貫通孔３２と第２枢支部３４の枢支貫通孔３６とを結ぶ線より軸受板２４から離れる側において、一方の軸受部である軸受板２４の面と平行な面を有する、他方の軸受部である軸受部３８が形成される。この他方の軸受部である軸受部３８は、基板２２にＵ字状の切り込みを形成し、この部分を切り起こすことにより形成され、軸受板２４に対してその全体が、操作レバー６０の軸受部たる軸受板２４の起立面部と斜交するように形成されている。すなわち、操作レバー６０を軸受板２４に軸着する軸４６の軸方向が操作レバー６０の軸受部たる軸受板２４の起立面部と斜交し、枢軸固定用貫通孔２６の周辺と平行になるように形成されている。
この軸受部３８には、円形の貫通孔４０が形成され、軸受板２４の枢軸固定用貫通孔２６と軸受部３８の貫通孔４０とが対向するように配置される。すなわち、第１枢支部３０の枢支貫通孔３２と第２枢支部３４の枢支貫通孔３６とを結ぶ線と、軸受板２４の枢軸固定用貫通孔２６と軸受部３８の貫通孔４０とを結ぶ線とが、互いに斜交するように形成される。
【００２０】
また、基板２２の幅方向の他端側（右端部）には、２条の凸条４２ａ及び凸条４２ｂが形成される。これらの凸条４２ａ及び凸条４２ｂは、基板２２の幅方向において適宜な距離をあけて平行に形成される。そして、基板２２の長手方向の両側には、綴じ具２０をファイルなどに取り付けるための基板固定用貫通孔４４が向こう側と手前側とに一対形成され、基板固定用貫通孔４４に鋲を嵌装して綴じ具２０がファイルなどに取り付けられる。
【００２１】
軸受板２４の枢軸固定用貫通孔２６と軸受部３８の貫通孔４０には、軸４６が挿通され、軸４６に捩りコイルばねからなるばね部材５０および操作部材たる操作レバー６０が取り付けられる。
ばね部材５０は、軸４６の外周に巻装された巻線部５０ａと、前記巻線部５０ａの一端（右端部）から綴じ部材７０側に延びる第１端部５０ｃと、前記巻線部５０ａの軸受板２４側の他端（左端部）から操作レバー６０側に直線状に延びる第２端部５０ｂとを有している。
軸４６及びばね部材５０の巻線部５０ａは、軸受板２４と斜交するように、軸受板２４及び軸受部３８の間に架け渡される。
前記付勢部材たるばね部材５０の前記一部分（第１端部５０ｃ）は、前記綴じ部材７０が被綴じ物Ｓを押圧するホールド状態から被綴じ物より離れるオープン状態に開閉移動するように前記操作部材たる操作レバー６０を操作した場合に、上方向すなわち、軸受板２４が立ち上がる方向および前記綴じ部材７０の前記一対の枢軸部７２がのびる基板２２の長手方向に移動するように形成されている。
前記ばね部材５０は、その一部分（第１端部５０ｃ）が綴じ部材７０の押圧部７６に向かってのびて、綴じ部材７０が被綴じ物Ｓを押圧するホールド状態と被綴じ物より離れるオープン状態とに開閉するために枢軸部７２を中心として回動するように作動させるとともに綴じ部材７０を前記枢軸部７２ののびる方向にスライドするように作動させるように構成されている。
【００２２】
ばね部材５０の第２端部５０ｂは、巻線部５０ａの軸受板２４側でその向こう側の上端より手前側に直線状に延び、その先端が外力を受けないときは、その先端が手前側に斜め上方に向けて延びるように形成されている。
第１端部５０ｃは、巻線部５０ａの軸受部３８側でその手前側の下端より軸受板２４とは反対側に延びた立ち上がり部５０ｄを備え、外力を受けないときは略Ｌ字状となるように、上方に延びた立ち上がり部５０ｄの上端から斜め上方に架け渡し部５０ｅが延び、架け渡し部５０ｅの自由端側に水平方向に屈曲した係止部５０ｆが突設されている。
前記外力が作用しない第１端部５０ｃと外力が作用しない第２端部５０ｂ（特に立ち上がり部５０ｂ）とは、巻線部５０ａからその先端に向かうに従って、それぞれが離れ拡がる方向に向けて延びる略八の字状に形成されている。
【００２３】
基板２２は、軸４６の一端を軸支する軸固定部たる軸受板２４と、前記軸受板２４の枢軸固定用貫通孔２６より向こう側にわずかにずれた位置に形成され、軸４６の他端を軸支する軸固定部たる軸受部３８とを有する。
軸受板２４の枢軸固定用貫通孔２６と軸受部３８の貫通孔４０とに架け渡されて固定された軸４６は、その綴じ部材７０側である軸受部３８側の方が、軸４６の軸受板２４側を中心にして操作レバー６０の自由端より離れる方向に水平面上において回転した位置において、軸受部３８の貫通孔４０に固定されている。
ばね部材５０は、軸固定部たる軸受板２４と軸受部３８との間において、巻線部５０ａが軸４６の軸回りにおいて基板２２と略平行に装着され、前記外力が作用しない第２端部５０ｂは、軸受板２４の内側に沿って基板２２の長手方向に伸び、操作レバー６０の長手方向と略平行に操作レバー６０に固定されている。
すなわち、前記外力が作用しない第２端部５０ｂは、被綴じ物Ｓを押圧するホールド状態と被綴じ物より離れるオープン状態とにするためにロック状態からロックを解除するように操作レバー６０を回動させる方向、すなわち操作レバー６０が回動する軌道面（操作レバー６０の向こう側から手前側にのびる方向に拡がる垂直面（前後方向平面Ｐｘｚ）と略々一致する面）に沿って、操作レバー６０に固定されている。したがって、ばね部材５０は、不用な干渉なくスムーズに動くことができ、操作レバー６０の上昇及び下降等の動きもスムーズになる。軌道面（操作レバー６０の向こう側から手前側にのびる方向に拡がる垂直面（前後方向平面Ｐｘｚ）と略々一致する面）は、軸受板２４の向こう側から手前側に向けてのびる垂直面と略々同じ面である。
【００２４】
操作レバー６０を回動して綴じ部材７０が被綴じ物Ｓを押圧するホールド状態にするとき及び被綴じ物より離れるオープン状態にするときすなわち開閉するときに、ばね部材５０の第１端部５０ｃが回動するが、巻線部５０ａは、それに対応して縮まったり緩んだりするために、巻線部５０ａの内径は、若干軸４６の外径との間に隙間が設けられるように構成されている。そして、巻線部５０ａは、軸４６の外周面上に巻装されている。
すなわち、巻線部５０ａは、操作レバー６０の長手方向とは斜めに交差するように第２端部５０ｂ側から第１端部５０ｃ側に向けて延び、ばね部材５０の第１端部５０ｃの側が、第２端部５０ｂの側より向こう側の位置において、基板２２に固定されている。
ばね部材５０に外力が作用しないとき、第２端部５０ｂは、操作レバー６０の自由端を軸４６を枢軸部として押し上げるように形成され、第１端部５０ｃは、綴じ部材７０を基板２２の表面に接近するように形成されている。
ばね部材５０は、第２端部５０ｂが操作レバー６０の長手方向と略平行に操作レバー６０に固定されているので、操作レバー６０を倒伏位置に向けて押し下げるとき、軸受板２４と略平行な方向すなわち垂直方向に向けて押し下げ、軸受板２４に形成された固定部たるロック部材２８に係止させることができる。
【００２５】
操作レバー６０は、金属板などによって長尺状に形成され、その強度を高めるために、横断面略Ｌ字状または横断面略Ｕ字状に形成されている。
操作レバー６０は、操作部材取付け部を構成する向こう側と、開閉操作部を構成する自由端部の側とは、その高さを異ならせている。操作レバー６０は、操作部材取付け部を構成する向こう側と、開閉操作部を構成する自由端部の側との間の操作部本体より、ロック部材２８の係合凸部１０２を係合するロック用係止部６８が、一段低く構成され、段差状に形成されている。而して、ロック部材２８の係合凸部１０２を係合する操作レバー６０のロック用係止部６８の周辺は、その周辺の操作部６０ｃの高い領域及び係止貫通孔６６の形成された領域より向こう側の操作部本体の領域より、一段低く構成されている。
また、開閉操作部を構成する操作部６０ｃの最も高い領域より、ロック部材２８の押圧頭部１００の係合凸部１０２を係合させる領域は、一段低く構成され、段差状に形状されている。
すなわち、ロック部材２８のロック解除部が操作部材のロック係止部（係止貫通孔６６及びロック用係止部６８）の周辺領域より低い位置に位置して自由端にロック係止されるように構成されている。
【００２６】
操作レバー６０は、軸受板２４側の第１垂直側壁６０ａと、第１垂直側壁６０ａと一定の間隔をおいて平行に形成された第２垂直側壁６０ｂとを備える。
操作レバー６０の自由端には、操作部６０ｃが形成されている。操作部６０ｃは、第１垂直側壁６０ａと第２垂直側壁６０ｂとの間に架け渡された上壁６０ｄの一部をもって形成されている。
操作レバー６０の長手方向の一端側（向こう側）における第１垂直側壁６０ａには、円形のレバー貫通孔６２が形成される。そして、軸４６が、操作レバー６０のレバー貫通孔６２と第１垂直側壁６０ａの内側に配設されたばね部材５０の巻線部５０ａとに挿通するようにして、軸受板２４および軸受部３８に取り付けられる。
ばね部材５０の第２端部５０ｂは、操作レバー６０の内側に沿って配置され、操作レバー６０の第１垂直側壁６０ａの一部を内側に折り曲げた折曲片６４によって固定される。
【００２７】
さらに、操作レバー６０の操作部６０ｃは、操作レバー６０を枢支する軸４６を取り付けるレバー貫通孔６２とは操作レバー６０の自由端側（手前側）に離れた位置で、操作部６０ｃの中央において、矩形の係止貫通孔６６が形成されている。
この係止貫通孔６６は、ロック部材２８を係止するための係合孔を構成している。この係止貫通孔６６にロック部材２８の押圧頭部１００が嵌挿され、係止貫通孔６６の向こう側の内縁近傍において形成されるロック用係止部６８にロック部材２８の係合凸部１０２を係止されることにより、操作レバー６０は、ロック部材２８に、綴じ部材７０が被綴じ物Ｓを押圧するホールド状態を維持するために、ロック固定される。
【００２８】
前記操作レバー６０は、綴じ部材７０が被綴じ物Ｓを押圧するロック状態（ホールド状態）を維持するために操作レバー６０をロックするロック用固定部が、係止貫通孔６６の孔縁であって、綴じ部材７０が被綴じ物Ｓを押圧するホールド状態を維持するためにばね部材５０により付勢された状態において操作部材取付け部たるロック部材２８に係止される係止貫通孔６６を形成されている。ロック機構は、綴じ部材７０が被綴じ物Ｓを押圧するロック状態（ホールド状態）から被綴じ物Ｓより離れるロック解除状態（オープン状態）にするようにロックを解除するために押圧頭部１００を手前側に引いてロックを解除する方向とは反対側である向こう側の内縁であって、係止貫通孔６６の口縁に形成される。
【００２９】
また、操作レバー６０の長手方向の他端側（手前側）は、幅広の操作部６０ｃが形成され、指で操作しやすくなっている。
係止貫通孔６６は、操作レバー６０の操作部６０ｃの向こう側に形成され、押圧頭部１００が操作レバー６０の係止貫通孔６６から外れる長さを有している。
【００３０】
前記操作レバー６０は、軸受板２４に連結する部位である軸着部たる第１垂直側壁６０ａを備えており、軸受板２４は、前記操作レバー６０の第１垂直側壁６０ａと接して操作レバー６０を連結する部位である操作部材取付け部たる枢軸固定用貫通孔２６を形成されている。
なお、軸４６の固定部たる枢軸固定用貫通孔２６の周辺は、操作レバー６０側に向けて半円環状に打ち出し膨出されたスペーサーが形成されてもよい。そのようにすれば、スペーサーの突出分だけ軸受板２４の内面と操作レバー６０の第１垂直側壁６０ａの外面との間に間隔があき、操作レバー６０のロックを解除して、綴じ部材７０が被綴じ物Ｓを押圧するホールド状態と被綴じ物より離れるオープン状態とに開閉するために回動させるとき、ばね部材５０の不要な力が操作レバー６０にかかることなく操作レバー６０が軸受板２４に擦れることがない。
この実施の形態においては、スペーサーが軸受板２４に形成されていないが、スペーサーは、操作レバー６０側に形成してもよく、また軸受板２４と操作レバー６０の両方に形成してもよい。例えば、操作レバー６０の第１垂直側壁６０ａの周辺を、軸受板２４側に向けて円環状に膨出されたスペーサーを形成するようにしてもよい。
【００３１】
さらに、基板２２上には、平面視略長方形状の綴じ部材７０が、基板２２の長手方向に延びて軸受板２４と平行に取り付けられ、軸受板２４とは反対側の綴じ部材７０の長手端縁が基板２２の表面に接近離間するように形成される。綴じ部材７０は、たとえば１枚の金属板によって形成される。綴じ部材７０は、たとえば第１枢支部３０と第２枢支部３４との距離より短い長さを有し、幅方向において上方に向けて膨らむように屈曲する形状（断面略Ｌ字状）に形成される。
そして、綴じ部材７０の幅方向の軸受板２４側において、その長手方向の両側に突出する枢軸部７２が形成される。これらの枢軸部７２が、枢軸部受けたる第１枢支部３０の枢支貫通孔３２および枢軸部受けたる第２枢支部３４の枢支貫通孔３６に嵌め込まれる。手前側の第２枢支部３４の枢支貫通孔３６は、向こう側の第１枢支部３０の枢支貫通孔３２と、基板２２からの高さが異なるように形成されている。すなわち向こう側の枢支貫通孔３２に枢支された綴じ部材７０の向こう側の第１枢軸７２ａは、手前側の枢支貫通孔３６に枢支された綴じ部材７０の手前側の第２枢軸７２ｂより高い高さ位置で枢支されている。すなわち、ばね部材５０は、綴じ部材７０の向こう側に位置して、第１端部５０ｃが綴じ部材７０に取り付けられ、綴じ部材７０を付勢するように構成されているので、ロックするとき、綴じ部材７０は、手前側から基板２２上の被綴じ物Ｓに接地するように構成されている。
【００３２】
したがって、綴じ部材７０は、２つの枢軸部７２を結ぶ線を回転中心として回動可能となっている。
軸受板２４と枢軸部７２との間において、操作レバー６０は、軸受板２４及び第１枢軸７２ａと第２枢軸７２ｂとを結ぶ線に沿って伸びる。
そして、操作レバー６０の手前側の自由端を押さえてロック用係止部６８をロック部材２８に係止して操作レバー６０をロックするとき、綴じ部材７０の手前側の第２枢軸７２ｂが向こう側の第１枢軸７２ａより低い高さに位置するので、ばね部材５０の係止部５０ｆが綴じ部材７０の架け渡し部７０ｂを押える位置（綴じ部材７０の長手方向における中央近傍）との関係上、押圧部７６は、手前側の第２枢軸７２ｂの方が先に被綴じ物Ｓを押さえ始めて、後に第１枢軸７２ａの方が被綴じ物Ｓを押さえる。ロックした後は、被綴じ物Ｓにかかる押える力のバランスは、向こう側と手前側と略々均等となる。
【００３３】
ロック部材２８は、操作レバー６０の自由端を基板２２に近づけた状態において、操作レバー６０の操作部６０ｃの下部に位置して、基板２２に回動自在に取り付けられる。
回動部１０４は、操作レバー６０の幅方向、すなわち、第１垂直側壁６０ａと第２垂直側壁６０ｂと直交ないし交差する方向にのびて（すなわち、基板２２の幅方向にのびて）基板２２に取り付けられる。
回動部１０４は、係止貫通孔６６よりも向こう側すなわち軸４６側において、基板２２に回動自在に取り付けられる。回動部１０４は、軸４６より低い位置において、基板２２に取り付けられている。
押圧頭部１００は、回動部１０４の上部より手前側すなわち軸４６から離れるロック解除側に向けてのびる立方体状ないしはブロック状体である。押圧頭部１００は、ロック係止側の向こう側の下部が回動部１０４に固定され、ロック解除側の手前側を自由にした構成である。
【００３４】
凹部１０８は、回動部１０４の上部より手前側に向けて（すなわち、軸４６とは反対側に向けて）のびる押圧頭部１００のロック係止側の向こう側すなわち軸４６側に凹設されている。
凹部１０８は、ロック係止側の向こう側が開口され、係合凸部１０２は、ロック係止側の向こう側に突き出ている。
凹部１０８は、ロック用係止部６８を嵌挿する領域を構成し、係合凸部１０２の下部であって凹部１０８の上部において、操作レバー６０の係止貫通孔６６の口縁の近傍にあるロック用係止部６８の上面が係合される。
【００３５】
綴じ部材７０を被綴じ物Ｓを押圧するロック状態（ホールド状態）とするときは、操作レバー６０を操作レバー６０の向こう側から手前側にのびる方向に拡がる垂直面（前後方向平面Ｐｘｚ）に略々沿って、自由端側を押し下げて、操作部６０ｃの下方にあるロック部材２８の押圧頭部１００に係止貫通孔６６を嵌挿して係合凸部１０２をロック用係止部６８に係合させる。
綴じ部材７０を被綴じ物Ｓから離れるロック解除状態（オープン状態）とするときは、操作レバー６０を操作レバー６０の向こう側から手前側にのびる方向に拡がる垂直面（前後方向平面Ｐｘｚ）に略々沿って、押圧頭部１００をロック解除側の手前側に引いて、ロック部材２８のロック用係止部６８に係合された係合凸部１０２を脱係させる。
【００３６】
なお、枢軸部７２の強度を高め、枢支貫通孔３２，３６内で枢軸部７２が回転しやすいように、枢軸部７２は幅方向に屈曲するように形成される。このように、綴じ部材７０から突出する枢軸部７２を第１枢支部３０，３４の枢支貫通孔３２，３６に嵌め込むことにより、別部品たる回転軸などを用いて綴じ部材７０を回動可能に保持する場合に比べて、部品数を少なくすることができる。
【００３７】
綴じ部材７０は、図６ないし９において示すように、枢軸部７２側より軸受板２４とは反対側の斜め上方に延びた立ち上がり部７０ａと、立ち上がり部７０ａの上端から斜め下方（水平面に対して略２２°）に向けて延びた平板状の架け渡し部７０ｂと、架け渡し部７０ｂの自由端に、綴じ部材７０の手前側端縁より向こう側端縁に亘って斜め下方（垂直面に対して略１５°）に向けて折り曲げられて形成された押圧部７６とが形成されている。押圧部７６は、書類などの被綴じ物Ｓを押えるときに、架け渡し部７０ｂ側に若干撓みつつ押圧部７６が書類などの被綴じ物Ｓを押圧し得るように形成されている。
【００３８】
押圧部７６は、架け渡し部７０ｂの手前側端縁より向こう側端縁に至るまで連続して形成される。押圧部７６は、その自由端に形成された被綴じ物Ｓに接地する接地領域が向こう側の接地部７６ａと手前側の接地部７６ｂと中間の接地部７６ｃとに分かれており、向こう側の接地部７６ａと手前側の接地部７６ｂとは略々同じ接地面積となるように形成されている。
向こう側の接地部７６ａと手前側の接地部７６ｂとは、同じ高さ位置において下端の歯部が形成され、中間の接地部７６ｃは、向こう側の接地部７６ａ及び手前側の接地部７６ｂとは上方の高さ位置において下端の歯部が形成されている。
そして、操作レバー６０の手前側の自由端を押さえてロック用係止部６８をロック部材２８に係止して操作レバー６０をロックするとき、綴じ部材７０の手前側の第２枢軸７２ｂが向こう側の第１枢軸７２ａより低い高さに位置するので、ばね部材５０の係止部５０ｆが綴じ部材７０の架け渡し部７０ｂを押える位置（綴じ部材７０の長手方向における中央近傍）との関係上、押圧部７６は、手前側の第２枢軸７２ｂ側にある手前側の接地部７６ｂが先に被綴じ物Ｓを押さえ始めて、後に第１枢軸７２ａ側にある向こう側の接地部７６ａが被綴じ物Ｓを押さえる。
前記押圧部の前記３つの接地部は、被綴じ物Ｓを押圧して保持する際に、前記３つの接地部のうちの両側の２つの接地部（向こう側の接地部７６ａ及び手前側の接地部７６ｂ）が、前記３つの接地部のうちの中間の接地部７６ｃに比べて、被綴じ物Ｓを強く押圧するように形成されている。
【００３９】
綴じ部材７０の立ち上がり部７０ａは、操作レバー６０をロック部材２８から外すことができるスペースを確保するように、軸受板２４との間が上方に向かうに従って拡がる傾斜面（垂直面に対して略４５°傾斜した面）が形成されている。
【００４０】
前記綴じ部材７０は、その全体が平面視略長方形状で正面視略々Ｌ字状ないしはアーチ状にわん曲した板状体に形成されており、幅方向におけるその一端側部分に前記押圧部７６が下方に向かってのびるように形成され、幅方向におけるその他端側部分（軸受板２４側部分）に一対の枢軸部７２が前記他端側部分に平行にかつ互いに逆方向にのびるように形成されている。押圧部７６は、基板２２の長手方向にのび、枢軸部７２は、基板２２の長手方向にのびる。綴じ部材７０は、幅方向において、前記一端側部分および前記他端側部分間の中央部分と前記一端側部分との間に、前記付勢部材たるばね部材５０の一部分（第１端部５０ｃ）を嵌挿するためのばね部材固定部７４が形成されている。
【００４１】
架け渡し部７０ｂは、下向き（下方向）に凹まされて、ばね部材５０の第１端部５０ｃを嵌め込むためのばね部材固定部７４が形成されている。
【００４２】
ばね部材５０は、第１端部５０ｃが綴じ部材７０の内面に近似した形状に形成され、ばね部材５０の立ち上がり部５０ｄが綴じ部材７０の立ち上がり部７０ａに沿って立ち上がり、そしてばね部材５０の架け渡し部５０ｅが綴じ部材７０のばね部材固定部７４に沿ってのびて、ばね部材５０の係止部５０ｆが綴じ部材７０の内面側に係止固定されるように設けられている。
【００４３】
ばね部材固定部７４は、ばね部材５０の第１端部５０ｃが緩挿され、ばね部材５０の第１端部５０ｃの先端部（係止部５０ｆ）が折り曲げられてばね部材固定部７４から外れないようにされている。
ばね部材固定部７４は、ばね部材５０の第１端部５０ｃの外形より大きい大きさで、ばね部材５０の第１端部５０ｃを緩挿できる形状に形成されており、ばね部材５０がばね部材固定部７４と架け渡し部７０ｂとの間で動くことができる隙間をあけるように構成されている。
【００４４】
この実施の形態においては、綴じ部材７０は、幅方向における中央ｃより軸受板２４側に立ち上がり部７０ａと架け渡し部７０ｂとが接続された頂部ｔが形成され、前記頂部ｔより押圧部７６側にばね部材固定部７４が形成されている（図９（Ｂ）参照）。
押圧部７６は、枢軸部７２より高さ方向（上下方向）において下方に形成されている（図９（Ｂ）参照）。
なお、押圧部７６に、書類などの被綴じ物Ｓを押さえ付けたときの力による変形を防ぐために、直線状のリブを長手方向に連続して形成してもよく、また、架け渡し部７０ｂに、書類などの被綴じ物Ｓを押さえ付けたときの力による変形を防ぐために、２条の直線状のリブを長手方向に連続して形成してもよい。
【００４５】
ばね部材５０は、図７Ａにおいて示すように、綴じ具２０を閉じた状態においては、立ち上がり部５０ｄが水平に近い方向を向いて、係止部５０ｆが下方を向いている。第１端部５０ｃは、ばね部材固定部７４に接触している。
ばね部材５０は、綴じ具２０を少し開いた状態においては、立ち上がり部５０ｄの手前側がやや上昇して立ち上がり部５０ｄが斜め上方を向いて、係止部５０ｆがやや下方を向いている。
ばね部材５０は、綴じ具２０をさらに開いた状態（操作レバー６０が垂直に立ったとき）においては、立ち上がり部５０ｄの手前側がさらに上昇して、係止部５０ｆが向こう側に向いて回転してほぼ水平に近い方向を向いている。
ばね部材５０は、図７Ｂにおいて示すように、綴じ具２０をいっぱいに開いた状態においては、立ち上がり部５０ｄが垂直方向を向いて、係止部５０ｆが向こう側に向いて回転してほぼ水平に近い状態に向いている。第１端部５０ｃは、架け渡し部７０ｂに接触している。
【００４６】
前記綴じ部材７０は、前記一対の枢軸部７２を回転中心として回転可能に支持される。
そして、綴じ部材７０は、それとともに、前記一対の枢軸部７２（向こう側の第１枢軸７２ａ及び手前側の第２枢軸７２ｂ）がのびる基板２２の長手方向にスライド可能に支持され、前記綴じ部材７０は、前記ばね部材５０の前記一部分（第１端部５０ｃ）が前記上方向に移動するときに、前記一対の枢軸部７２を回転中心として回転し、前記ばね部材５０の前記一部分（第１端部５０ｃ）が前記基板２２の長手方向に移動するときに、前記一対の枢軸部７２が伸びる方向（向こう側）にスライドするように構成してもよい。
向こう側の第１枢軸７２ａは、綴じ部材７０の向こう側端縁より長く向こう側にのび、手前側の第２枢軸７２ｂは、綴じ部材７０の手前側端縁より長く手前側にのびている。
向こう側の第１枢軸７２ａの長さと手前側の第２枢軸７２ｂとの長さは、同一に形成されている。綴じ部材７０は、図９Ｄにおいて示すように、押圧部７６の手前側から向こう側との間の長さＬ３すなわち長手方向の長さが、第１枢支部３０と第２枢支部３４との間の長さＬ１（手前側から向こう側に至る長手方向における長さ）とほぼ同じかより長く形成され、被綴じ物Ｓを綴じるときに押圧する領域を広くとるように構成されている。
綴じ部材７０は、被綴じ物Ｓを押圧するホールド状態にするときと被綴じ物Ｓより離れるオープン状態にするときに、その手前側と向こう側とに移動するための可動域を確保するために、向こう側の第１枢軸７２ａとの間に略Ｕ字状の凹部７２ｃが形成され且つ手前側の第２枢軸７２ｂとの間に略Ｕ字状の凹部７２ｄが形成されており、向こう側の凹部７２ｃと手前側の凹部７２ｄとの間に首部７２ｅが形成され、首部７２ｅの先端（軸受板２４側）に向こう側の第１枢軸７２ａと手前側の第２枢軸７２ｂとが、長手方向に（手前側及び向こう側に向けて）突設されている。
枢軸部７２は、基板２２とのあいだの間隔を同一にするように、向こう側の第１枢軸７２ａと手前側の第２枢軸７２ｂとが、水平に突設されている。
また、第１枢支部３０と第２枢支部３４とは、綴じ部材７０が被綴じ物Ｓを押圧するホールド状態のときに、綴じ部材７０が手前側と向こう側とが基板２２に密着し、且つ、綴じ部材７０が被綴じ物Ｓを押圧するホールド状態にするときと被綴じ物より離れるオープン状態にするために、綴じ部材７０が枢軸部７２を中心として回動したときに、基板２２との間において常に同一の間隔をもって回動するように構成されている。
【００４７】
向こう側の第１枢軸７２ａの向こう側の先端と手前側の第２枢軸７２ｂの手前側の先端との間の長さは、第１枢支部３０と第２枢支部３４との間の長さより長くなるように形成され、向こう側に綴じ部材７０がスライド移動して綴じ部材７０の向こう側の凹部７２ｃが第１枢支部３０と突き当たる迄移動したときに、手前側の第２枢軸７２ｂが、第２枢支部３４の枢支貫通孔３６から抜け出ないように形成されるとともに、手前側に綴じ部材７０がスライド移動して綴じ部材７０の手前側の凹部７２ｄが第２枢支部３４と突き当たる迄移動したときに、向こう側の第１枢軸７２ａが第１枢支部３０の枢支貫通孔３２から抜け出ないように形成されている。
【００４８】
第１枢支部３０及び第２枢支部３４は、軸受板２４とは反対側の端縁が、綴じる書類などの被綴じ物Ｓの端縁を揃えるための軸受板２４の面と平行な面を有する、用箋揃え部９０を形成している。
第１枢支部３０及び第２枢支部３４は、軸受板２４とは反対側の端縁が、用箋揃え部９０の軸受板２４とは反対側の表面と同一平面（想像上）上に揃うように形成されている。
したがって、第１枢支部３０及び第２枢支部３４の端縁がガイドとなって、用箋揃え部９０に綴じる書類などの被綴じ物Ｓの端縁を当接させて綴じることができる。
【００４９】
このように構成された綴じ具２０は、操作レバー６０の手前側の自由端側を押し下げることにより、綴じ部材７０の長手方向における中央近傍をばね部材５０により押さえ付け、向こう側の第１枢軸７２ａ及び手前側の第２枢軸７２ｂを結ぶ線を回転中心として回動させ、基板２２との間に挟みこまれた被綴じ物Ｓを、向こう側の接地部７６ａと手前側の接地部７６ｂとにより均等に押さえ付けて綴じることができる。
【００５０】
ロック部材２８の形態としては、図１３に示すように、係合凸部１０２，弾力部１０６及び凹部１０８を手前側に形成して、ロック係止部を手前側にしてもよい。図１３図示変形例においては、係合凸部１０２は、係止貫通孔６６の手前側の口縁の近傍に係止され、ロック部材２８を操作レバー６０から脱係するときは、押圧頭部１００を向こう側に押して、係合凸部１０２と係止貫通孔６６との係合を脱係する。
ロック部材２８の形態としては、操作レバー６０を操作レバー６０の向こう側から手前側にのびる方向に拡がる垂直面（前後方向平面Ｐｘｚ）に略々沿って、スライド移動するように構成してもよい。
【００５１】
このような綴じ具２０は、たとえば、図１４に示すように、基板２２に形成された基板固定用貫通孔４４に取付用金具などを挿通することにより、ファイル等の表紙に取り付けられる。そして、操作レバー６０を操作することにより、綴じ部材７０を開閉することができる。ここで、図１に示すように、操作レバー６０を上げることにより、ばね部材５０の第１端部５０ｃが綴じ部材７０を持ち上げ、基板２２と綴じ部材７０の押圧部７６との間に隙間が生じる。この隙間に書類などの被綴じ物Ｓが挿入され、操作レバー６０の手前側の自由端側を下げることにより、綴じ部材７０が閉じて、押圧部７６によって書類などの被綴じ物Ｓが基板２２に向かって押し付けられる。つまり、操作レバー６０を下げることにより、ばね部材５０の巻線部５０ａが締め付けられ、ばね部材５０の第１端部５０ｃによって、綴じ部材７０の押圧部７６が基板２２方向に付勢される。
【産業上の利用可能性】
【００５２】
この発明にかかる綴じ具は、たとえばリングファイルやバインダ等の、用箋等を綴り込む用具に広く適用できる。
【符号の説明】
【００５３】
２０  綴じ具
２２  基板
２４  軸受板
２６  枢軸固定用貫通孔
２８  ロック部材
３０  第１枢支部
３２  枢支貫通孔
３４  第２枢支部
３６  枢支貫通孔
３８  軸受部
４２  凸部
４２ａ，４２ｂ  凸条
４４  基板固定用貫通孔
４６  軸
５０  ばね部材
５０ａ  巻線部
５０ｂ  第２端部
５０ｃ  第１端部
５０ｄ  立ち上がり部
５０ｅ  架け渡し部
５０ｆ  係止部
６０  操作レバー
６０ａ  第１垂直側壁
６０ｂ  第２垂直側壁
６０ｃ  操作部
６０ｄ  上壁
６２  レバー貫通孔
６４  折曲片
６６  係止貫通孔
６８  ロック用係止部
７０  綴じ部材
７０ａ  立ち上がり部
７０ｂ  架け渡し部
７２  枢軸部
７２ａ  （向こう側の）第１枢軸
７２ｂ  （手前側の）第２枢軸
７２ｃ  （向こう側の）凹部
７２ｄ  （手前側の）凹部
７２ｅ  首部
７４  ばね部材固定部
７６  押圧部
７６ａ  向こう側の接地部
７６ｂ  手前側の接地部
７６ｃ  中間の接地部
９０  用箋揃え部
１００  押圧頭部
１０２  係合凸部
１０４  回動部
１０４ａ，１０４ｂ  回動軸
１０６  弾力部
１０８  凹部
１１０，１１２  支持部
ｃ  中央
ｔ  頂部
Ｓ  被綴じ物
【要約】
【課題】被綴じ物の厚さが変化してもロック状態を解除するための操作力の大きさの変化が少なく壊れにくい、綴じ具を提供する。
【解決手段】この発明にかかる綴じ具２０は、被綴じ物Ｓを押圧する綴じ部材７０と、前記綴じ部材が、被綴じ物を押圧するロック状態とロックを解除するロック解除状態とに移動するように操作するために設けられた操作部材６０と、台部材２２と、前記綴じ部材７０を付勢する付勢部材５０とを含み、前記綴じ部材７０を操作部材６０の操作によりロックされた状態において前記操作部材６０に係合し、かつ、前記ロックを解除するロック解除状態において前記操作部材６０から外れるように、前記台部材２２に対して変位可能に前記台部材に設けられた、ロック解除部を有するロック部材２８を備えている。
【選択図】図１【図１】
0005119369.tif 000002
【図２】
0005119369.tif 000003
【図３】
0005119369.tif 000004
【図４】
0005119369.tif 000005
【図５】
0005119369.tif 000006
【図６Ａ】
0005119369.tif 000007
【図６Ｂ】
0005119369.tif 000008
【図７Ａ】
0005119369.tif 000009
【図７Ｂ】
0005119369.tif 000010
【図７Ｃ】
0005119369.tif 000011
【図７Ｄ】
0005119369.tif 000012
【図８】
0005119369.tif 000013
【図９Ａ】
0005119369.tif 000014
【図９Ｂ】
0005119369.tif 000015
【図９Ｃ】
0005119369.tif 000016
【図９Ｄ】
0005119369.tif 000017
【図１０】
0005119369.tif 000018
【図１１】
0005119369.tif 000019
【図１２】
0005119369.tif 000020
【図１３】
0005119369.tif 000021
【図１４】
0005119369.tif 000022
【図１５】
0005119369.tif 000023